(57)【要約】【課題】  光ピックアップの環境温度変化に対する信頼性を向上させる。【解決手段】  光ピックアップ７は、レーザ光を発生する半導体レーザ７１１を有する。対物レンズ駆動装置は、レーザ光をディスクの所定位置に導く。半導体レーザと対物レンズ駆動装置は、ピックアップ筐体７０に搭載される。対物レンズ駆動装置は可動部７４を有し、可動部はディスクの記録面にレーザ光を集光する対物レンズ７１６を有する。可動部を支持部材を介して固定部７２が保持する。固定部は、磁性体のヨーク７５を有する。ヨークの一部を固定部側に延在して設けた延長部と、固定部のトラッキング方向中間部に形成した切欠きの上面７２ｂとを接着固定した。【選択図】  図４
2006127586.tif 000002
【特許請求の範囲】
【請求項１】
半導体レーザで発生したレーザ光を対物レンズを介してディスクに導き、ディスクとの間で情報を記録または再生する光ピックアップにおいて、前記対物レンズを有する可動部と、この可動部を支持部材を介して支持しヨークを有する固定部と、これら固定部および可動部を収容するピックアップ筐体とを備え、このピックアップ筐体に前記固定部の側面または前記ヨークを固定し、環境温度が変化したときに前記固定部が自由に熱変形することを可能にしたことを特徴とする光ピックアップ。
【請求項２】
前記ヨークは固定部側に延びた延長部を有し、この延長部の中間部に前記固定部を接着剤で接着したことを特徴とする請求項１に記載の光ピックアップ。
【請求項３】
前記固定部の側面であってトラッキング方向中間部と、前記ピックアップ筐体の内壁面とを接着剤で固定したことを特徴とする請求項１に記載の光ピックアップ。
【請求項４】
ディスクの情報を再生あるいは記録するためのレーザ光を発生する半導体レーザと、レーザ光をディスクの所定位置に導く対物レンズ駆動装置と、これら半導体レーザと対物レンズ駆動装置とを搭載するピックアップ筐体とを備えた光ピックアップにおいて、
前記対物レンズ駆動装置は、ディスクの記録面にレーザ光を集光する対物レンズを有する可動部と、前記可動部を支持部材を介して保持し磁性体のヨークを有する固定部とを備え、前記ピックアップ筐体に形成した固定部を載置する梁または前記ヨークの一部を固定部側に延在して設けた延長部と、前記固定部のトラッキング方向中間部に形成した切欠きの上面とを接着固定したことを特徴とする光ピックアップ。
【請求項５】
ディスクの情報を再生あるいは記録するレーザ光を発生する半導体レーザと、レーザ光をディスクの所定位置に導く対物レンズ駆動装置と、これら半導体レーザと対物レンズ駆動装置とを搭載するピックアップ筐体とを備えた光ピックアップにおいて、
前記対物レンズ駆動装置は、ディスクの記録面にレーザ光を集光する対物レンズを有する可動部と、前記可動部を支持部材を介して保持する固定部とを備え、前記固定部の反可動部側側面のトラッキング方向中間部をこの側面に対向する前記ピックアップ筺体の内周面に接着固定したことを特徴とする光ピックアップ。
【請求項６】
前記固定部のトラッキング方向両端面と前記ピックアップ筺体間に間隙を形成したことを特徴とする請求項４または５に記載の光ピックアップ。
【請求項７】
ディスクの情報を再生あるいは記録するレーザ光を発生する半導体レーザと、レーザ光をディスクの所定位置に導く対物レンズ駆動装置と、これら半導体レーザと対物レンズ駆動装置とを搭載するピックアップ筐体とを備えた光ピックアップにおいて、
前記対物レンズ駆動装置は、ディスクの記録面にレーザ光を集光する対物レンズを有する可動部と、前記可動部を支持部材を介して保持する固定部とを備え、前記固定部をトラッキング方向の両端面で前記ピックアップ筺体に接着し、環境温度が変化したときに一方の接着部から他方の接着部に固定部を変形可能にしたことを特徴とする光ピックアップ。
【請求項８】
前記接着部の一方側は、他方側よりも弾性率が高い接着剤を用いて形成されたことを特徴とする請求項７に記載の光ピックアップ。
【請求項９】
前記接着部の一方側は、他方側よりも剛性が高く形成されたことを特徴とする請求項７に記載の光ピックアップ。
【請求項１０】
ディスクの情報を再生あるいは記録するレーザ光を発生する半導体レーザと、レーザ光をディスクの所定位置に導く対物レンズ駆動装置と、これら半導体レーザと対物レンズ駆動装置とを搭載するピックアップ筐体とを備えた光ピックアップにおいて、
前記対物レンズ駆動装置は、ディスクの記録面にレーザ光を集光する対物レンズを有する可動部と、前記可動部を支持部材を介して保持する固定部とを備え、前記固定部のトラッキング方向のいずれかの端面を前記ピックアップ筺体に接着剤で接着し、他端面はピックアップ筺体との間に間隙を有することを特徴とする光ピックアップ。
【発明の詳細な説明】
【技術分野】
【０００１】
本発明は、光ディスクとの間で情報を記録または再生する光ピックアップに関する。
【背景技術】
【０００２】
光ピックアップに用いる従来の対物レンズアクチュエータの例が、特許文献１に記載されている。この公報に記載のアクチュエータは、対物レンズの変位に伴う反力によって発生する振動を吸収するために、ヨークを２枚の平行板ばねで弾性支持している。その際、アクチュエータベースに、支持板部とこの支持板部の下方に適当な間隔を置いて相互にほぼ水平に配置した一対の基板部を設けている。さらに、アクチュエータベースの支持板部と底板部の側面に複数の接着部を設け、各接着部が受ける抗力を小さくし、振動によるハウジングからの外れを防止している。
【０００３】
【特許文献１】特開２００２−１５０５８１号公報（第１−３頁、図１）
【発明の開示】
【発明が解決しようとする課題】
【０００４】
上記特許文献１に記載のアクチュエータでは、アクチュエータベースの両側の側面に設けた複数の接着部分で、アクチュエータと光ピックアップのハウジングとを固定している。この場合、固定部が樹脂でピックアップ筺体が金属から形成されていると、固定部とピックアップ筐体とは互いに異なる線膨張係数となる。その結果、環境温度が変化すると、線膨張係数の大きい固定部がピックアップ筺体よりも伸び、ピックアップ筺体の側壁をピックアップ筐体の支持軸方向に押し広げられる。ピックアップ筺体の側壁が押し広げられると、対物レンズと副支持軸間に配置した光学部品を、光ディスクから遠ざける方向に傾斜させる。光学部品が所定位置からずれた位置へと変位し、部品間の相対的な位置ずれが発生する。
【０００５】
本発明は上記従来技術の不具合に鑑みなされたものであり、その目的は、環境温度が変化しても光ピックアップの信頼性を維持または向上させることにある。また、光ビックアップを構成する各部品の環境温度変化による位置ずれを低減することにある。
【課題を解決するための手段】
【０００６】
光ピックアップは、半導体レーザで発生したレーザ光を対物レンズを介してディスクに導き、ディスクとの間で情報を記録または再生するものであり、対物レンズを有する可動部と、この可動部を支持部材を介して支持しヨークを有する固定部と、これら固定部および可動部を収容するピックアップ筐体とを備える。そしてこの構成において、ピックアップ筐体に前記固定部の側面または前記ヨークを固定し、環境温度が変化したときに固定部が自由に熱変形することを可能にすることを特徴とする。
【０００７】
上記特徴において、ヨークは固定部側に延びた延長部を有し、この延長部の中間部に固定部を接着剤で接着してもよく、固定部の側面であってトラッキング方向中間部と、ピックアップ筐体の内周面とを接着剤で固定してもよい。
【０００８】
また光ピックアップは、ディスクの情報を再生あるいは記録するレーザ光を発生する半導体レーザと、レーザ光をディスクの所定位置に導く対物レンズ駆動装置と、これら半導体レーザと対物レンズ駆動装置とを搭載するピックアップ筐体とを備える。
【０００９】
そしてこの構成において、対物レンズ駆動装置は、ディスクの記録面にレーザ光を集光する対物レンズを有する可動部と、可動部を支持部材を介して保持し磁性体のヨークを有する固定部とを備え、ピックアップ筐体に形成した固定部を載置する梁またはヨークの一部を固定部側に延在して設けた延長部と、固定部のトラッキング方向中間部に形成した切欠きの上面とを接着固定したことを特徴とする。
【００１０】
また上記構成において、固定部の反可動部側側面のトラッキング方向中間部をこの側面に対向する前記ピックアップ筺体の内壁面に接着固定してもよく、固定部のトラッキング方向両端面とピックアップ筺体間に間隙を形成してもよい。
【００１１】
さらに上記構成において、固定部をトラッキング方向の両端面でピックアップ筺体に接着し、環境温度が変化したときに一方の接着部から他方の接着部に固定部を変形可能にしてもよく、接着部の一方側は、他方側よりも弾性率が高い接着剤を用いて形成されていてもよい。また、接着部の一方側は、他方側よりも剛性が高く形成されていてもよい。さらに、固定部のトラッキング方向のいずれかの端面をピックアップ筺体に接着剤で接着し、他端面はピックアップ筺体との間に間隙を有するようにしてもよい。
【発明の効果】
【００１２】
本発明によれば、固定部をトラッキング方向に自由に伸縮できるように配置したので、環境温度が変化して発生する、固定部がピックアップ筺体の側壁を押し広げる力を低減できる。したがって、光学部品の環境温度変化による位置ずれを低減でき、光ピックアップの信頼性を維持または向上できる。
【発明を実施するための最良の形態】
【００１３】
以下、本発明に係る光ピックアップのいくつかの実施例を、図面を参照して説明する。図１０に、本発明に係る光ピックアップを搭載したディスク装置１を、分解斜視図で示す。ディスク装置１では、ボトムケース１０に移動可能に、情報の記録媒体であるディスクを上面に搭載するディスクトレイ４が取り付けられている。ボトムケースの上面は他の部品との接触の防止およびディスク装置１へ塵埃の侵入を防止するために、トップケース２が取り付けられる。
【００１４】
ディスクトレイ４の下面には、前面側にフロントパネル４が取り付けられたユニットメカ６が取り付けられている。ユニットメカ６はユニット化された機構部であり、ディスクを回転させるスピンドルモータ５と、ディスク上に情報を記録または再生する光ピックアップ７と、光ピックアップ７を図示しない案内軸に沿ってディスクの半径方向に移動させる光ピックアップ送り機構などが搭載されている。フロントパネル４は、ボトムケース１０の前面を覆っている。
【００１５】
ボトムケース１０の底面側には、アンダーカバー８が取り付けられている。アンダーカバー８は、トップケース２と同様に、他の部品との接触の防止およびディスク装置１へ塵埃の侵入を防止する。ボトムケース１０の奥側には、回路基板９が配置されている。回路基板９には、ディスク装置１に搭載された電子部品の駆動を制御し、信号処理する半導体部品が搭載されている。
【００１６】
図１０に示した光ディスク装置１に搭載する光ピックアップ７の一例を、図１に斜視図で示す。ｙ軸方向はディスクの半径方向であるトラッキング方向であり、ｚ軸方向は光軸方向であるフォーカシング方向である。ｘ軸方向はこれら２つの方向ｙ、ｚに直交する方向である。
【００１７】
光ピックアップ７は、対物レンズ駆動装置７１９、光学系およびフレキシブルプリント基板７９の３つの要素を有している。対物レンズ駆動装置７１９は、ディスクの回転に追従して正確に情報を記録または再生するために、対物レンズ７１６をフォーカシング方向とトラッキング方向に駆動可能である。対物レンズ駆動装置は、ヨーク７５と永久磁石７６で形成される磁気回路と、対物レンズ７１６を取付けた可動部７４と、可動部７４を保持する固定部７２と、固定部７２に対して可動部７４を弾性支持する支持部材７３とを有する。
【００１８】
可動部７４には、フォーカシングコイル７４ａとトラッキングコイル７４ｂが組込まれている（図２参照）。これらのコイル７４ａ、７４ｂに電流を流すと永久磁石７６との間でフレミングの法則により電磁力が発生し、可動部７４が駆動される。光学系は、レーザ光を射出する半導体レーザ７１1と、半導体レーザからの光を分岐したりディスク上へ集光するレンズ７１４、７１５およびミラー７１３と、ディスクからの反射光を受光する光検出器７１２との光学部品を有する。これらの光学部品は、接着剤を用いてピックアップ筺体７０に固定されている。フレキシブルプリント基板７９は、対物レンズ駆動装置７１９および光学系を、回路基板９に電気的に接続する。
【００１９】
図１に示した光ピックアップに用いる対物レンズ駆動装置７１９の詳細を、図２に分解斜視図で示す。対物レンズ７１６を保持する可動部７４に、フォーカシングコイル７４ａおよびトラッキングコイル７４ｂが取付けられている。ワイヤー状の支持部材７３の一端が可動部７４に固定されており、他端が固定部７２に固定されている。可動部７4では、対物レンズ７１６の両側にフォーカシングコイル７４ａが取り付けられており、フォーカシングコイル７４ａが形成する中心空間部には、ヨーク７５の屹立部７５ｂが間挿される。ヨーク７５は複数の屹立部７５ｂ、７５ｃを有し、可動部７４のｘ方向両側面に配置したトラッキングコイル７４ｂに対向する屹立部７５ｃもある。屹立部７５ｂ、７５ｃには、永久磁石７６が取付けられて磁気回路を形成する。
【００２０】
本実施例においては、対物レンズ駆動装置７１９のヨーク７５に、延長部７５ａを形成した。すなわち図３に示すように、トラッキングコイル７４ｂに対向するヨーク７５の屹立部７５ｃの一方側に、底面から中ほどまでの切込みを形成し、この切込みを矢印で示したように上方に折り曲げた。この延長部７５ａの中間部を、固定部７２に形成した切欠き部７２ａの上辺７２ｂに接着剤で固定した（図２参照）。ヨーク７５を折り曲げて形成した延長部７５ａを固定部７２に接着固定したので、固定のための部品が不要となる。
【００２１】
図４に、光ピックアップ７を上方から見た斜視図を示す。ヨーク７５の折り曲げて形成した延長部７５ａ先端部を、ピックアップ筺体７０を接着剤７８により接着している。このように、ヨーク７５をピックアップ筐体７０に接着したので、対物レンズ駆動装置７１９をピックアップ筺体７０に固定保持できる。なお、固定部７２はヨーク７５にだけ固定されており、ピックアップ筐体７０には直接は固定されていない。本実施例によれば、固定部７２のトラッキング方向の両端部が拘束されていないので、環境温度が変化しても、固定部７２はヨーク７５の延長部７５ａとの接着部を固定されたままトラッキング方向の両側に自由に伸縮できる。したがって、固定部７２が膨張してピックアップ筺体７０の側壁を押し広げる事態が回避され、ピックアップ筺体７０の光学部品が傾くことはない。その結果、光学部品の相対的な位置ずれを低減できる。
【００２２】
また、接着位置は、ヨーク７５および固定部７２のそれぞれにおいてトラッキング方向の中央部に位置するから、環境温度が変化してもトラッキング方向には元の位置に留まる。すなわち、各部品が変形しても、固定部７２はその中央を起点として伸縮するので、固定部７２の両端から支持部材７３で支持される可動部７４は、対物レンズ駆動装置の中央部に保持される。これにより、対物レンズ７１６と光学系との位置ずれが小さくなる。
【００２３】
なお、固定部７２の中央部下側に凹部を設けて、延長部７５ａと固定部７２の凹部を接着剤で固定保持すれば、光ピックアップ７の高さを増すことなく、固定部７２をピックアップ筺体７０に固定できる。また、ヨーク７５の延長部７５ａと固定部７２の固定に際しては、接着剤の他にピンあるいはねじをも併用すれば、落下時などに衝撃が加わっても固定部７２の位置ずれを生ぜず、信頼性が向上する。
【００２４】
本発明に係るピックアップの他の実施例を、図５に示す。本実施例は上記実施例とは、固定部７２の底面側に梁７０ａを形成した点で相違する。固定部７２の中央部下面と梁７０ａとを接着剤７８で固定する。本実施例によれば、固定部７２のトラッキング方向の両端を拘束していないので、環境温度が変化しても固定部７２は梁７０ａとの接着位置を保ったまま、トラッキング方向両側に自由に伸縮できる。これにより、上記実施例と同様の効果を生じる。また、可動部７４のトラッキング方向の対称性を維持でき、光学的な収差の発生を抑制でき、光ピックアップ７の光学特性向上できる。
【００２５】
本発明に係る光ピックアップのさらに他の実施例を、図６に上面図で示す。本実施例では、固定部７２とピックアップ筐体７０との接着位置を上記各実施例と異ならせている。すなわち、固定部７２のトラッキング方向に平行な側面と、この側面に対向するピックアップ筺体７０の側壁とを、接着剤７８で固定した。
【００２６】
本実施例によれば、固定部７２のトラッキング方向の両端を拘束しないので、環境温度が変化しても、固定部７２はピックアップ筺体７０との接着位置を保持したまま、トラッキング方向両側に自由に伸縮できる。したがって、上記各実施例と同様の効果を生じる。なお本実施例では、可動部の駆動コイルに印加する電流を供給するフレキシブルプリント基板７９を、接着剤７８を避けて左右に分割構造とした。また、接着位置を固定部７２のトラッキング方向の中央とした。これにより、可動部７４のトラッキング方向の対称性を維持できる。
【００２７】
本発明に係る光ピックアップのさらに他の実施例を、図７に上面図で示す。本実施例では、固定部７２のトラッキング方向の両端面を、ピックアップ筺体７０の側壁に接着剤７８で固定保持した点が上記各実施例と相違している。接着面積を十分に確保できるので、落下時などに衝撃が加わっても固定部７２が位置ずれせず、信頼性を向上できる。この図７に示した実施例では、固定部７２のトラッキング方向両端部にスリットを形成し、剛性の小さな変形部７２ｃ、７２ｄを設けている。これにより、環境温度が変化しても、変形部７２ｃ、７２ｄだけが変形し、固定部７２と接着剤７８間の伸縮を吸収する。したがって、ピックアップ筺体７０へ作用する力を緩和でき、光学部品の傾きを抑制できる。
【００２８】
なお、変形部７２ｃ、７２ｄを支持部材７３の支持位置に対してトラッキング方向の外側に設ければ、支持部材７３を固定保持している固定部７２の内側部分の剛性が大きくなる。これにより、環境温度の変化にも対応できる。本実施例では、固定部７２の両側面に変形部７２ｃ、７２ｄを設けたが、このいずれかの変形部７２ｃ、７２ｄを省いても、同様の効果が得られる。この場合、一方の接着部の剛性が高くなるので、共振点が向上する。
【００２９】
本発明に係る光ピックアップのさらに他の実施例を、図８に上面図で示す。本実施例は、図７の実施例とスリットがないこと、および接着剤の弾性率の点で相違する。すなわち、固定部７２とピックアップ筺体７０とを、その両端で固定する接着剤７８１、７８２は、互いに弾性率が相違する。固定部７２の一方の接着端面に、弾性率が数十ＭＰａ程度の接着剤７８１を施し、他端に弾性率が数ＧＰａ〜数百ＭＰａ程度の接着剤７８２を施す。
【００３０】
本実施例によれば、固定部７２の一端部を固定する接着剤７８１の弾性率が小さいので、環境温度が変化しても接着剤７８１が大きく変形して固定部７２の変形を吸収する。これにより、ピックアップ筺体７０へ作用する力を緩和できる。
【００３１】
本発明に係る光ピックアップのさらに他の実施例を、図9に上面図で示す。本実施例は図７、図８に示した実施例と異なり、固定部７２のトラッキング方向の一端側だけを、ピックアップ筐体７０に接着剤７８で固定している。本実施例によれば、固定部７２のトラッキング方向の他端側が拘束されていないので、環境温度が変化しても固定部７２はピックアップ筺体７０に接着されている一端面の位置を保持したまま自由に伸縮できる。本実施例では、固定部７２をトラッキング方向の端部で接着固定しているが、内側で接着固定してもよい。
【００３２】
上記各実施例によれば、環境温度が変化しても、固定部７２がピックアップ筐体２０に接着された位置を保持したまま、トラッキング方向に自由に伸び縮みできる構成としたので、固定部７２が膨張してピックアップ筺体７０の側壁を押し広げる事態が回避され、ピックアップ筺体７０の光学部品が傾くことはない。その結果、光学部品の相対的な位置ずれを低減できる。
【図面の簡単な説明】
【００３３】
【図１】本発明に係る光ピックアップの一実施例の斜視図である。
【図２】図１に示した光ピックアップに用いる対物レンズ駆動装置の分解斜視図である。
【図３】図１に示した光ピックアップに用いるヨークの斜視図である。
【図４】図１に示した光ピックアップの斜視図である。
【図５】本発明に係る光ピックアップの他の実施例の斜視図である。
【図６】本発明に係る光ピックアップのさらに他の実施例の平面図である。
【図７】本発明に係る光ピックアップのさらに他の実施例の平面図である。
【図８】本発明に係る光ピックアップのさらに他の実施例の平面図である。
【図９】本発明に係る光ピックアップのさらに他の実施例の平面図である。
【図１０】図１に示した光ピックアップを搭載したディスク装置の分解斜視図である。
【符号の説明】
【００３４】
１…ディスク装置、２…トップケース、３…フロントパネル、４…ディスクトレイ、５…スピンドルモータ、６…ユニットメカ、７…光ピックアップ、８…アンダーカバー、９…回路基板、１０…ボトムケース、７０…ピックアップ筺体、７０ａ…突起、７０ｂ…梁、７２…固定部、７２ａ…切欠き、７２ｂ…上辺、７２ｃ、７２ｄ…変形部、７３…支持部材、７４…可動部、７４ａ…フォーカシングコイル、７４ｂ…トラッキングコイル、７５…ヨーク、７５ａ…延長部、７５ｂ〜７５ｄ…屹立部、７６…永久磁石、７７…基板、７８…接着剤、７９…フレキシブルプリント基板、７１１…半導体レーザ、７１２…光検出器、７１３…ミラー、７１４…レンズ、７１５…コリメートレンズ、７１６…対物レンズ、７１９…対物レンズ駆動装置、７８１…接着剤、７８２…接着剤。
【図１】
2006127586.tif 000003
【図２】
2006127586.tif 000004
【図３】
2006127586.tif 000005
【図４】
2006127586.tif 000006
【図５】
2006127586.tif 000007
【図６】
2006127586.tif 000008
【図７】
2006127586.tif 000009
【図８】
2006127586.tif 000010
【図９】
2006127586.tif 000011
【図１０】
2006127586.tif 000012